(57)【要約】【課題】防水パンにある程度柔軟な材料を使用しても、防水パンに変形を生じさせることなく、且つ、床点検口の蓋を所定の位置にがたつきなく固定可能な浴室床点検口の取付構造を提供する。【解決手段】開口部下面に当接する環状に形成された基部と該基部から上方に立設された複数の立上り部とを有する支持材と、開口部上面に載置される蓋とを備え、該蓋と上記立上り部とを結合させて、開口部を挟装することを特徴とする浴室床点検口の取付構造。好適には、前記蓋と前記立上り部とは、ねじ接合により結合されるとともに、前記立上り部の高さは、前記開口部の高さより一定の長さ小さく形成され、ねじの螺進により、前記蓋と前記基部とが上記開口部を介して密接される。【選択図】  図３
2006045797.tif 000002
【特許請求の範囲】
【請求項１】
開口部下面に当接する環状に形成された基部と該基部から上方に立設された複数の立上り部とを有する支持材と、開口部上面に載置される蓋とを備え、該蓋と上記立上り部とを結合させて、開口部を挟装することを特徴とする浴室床点検口の取付構造。
【請求項２】
前記蓋と前記立上り部とは、ねじ接合により結合されることを特徴とする請求項１記載の浴室床点検口の取付構造。
【請求項３】
前記立上り部の高さは、前記開口部の高さより小さく形成され、ねじの螺進により、前記蓋と前記基部とが上記開口部を介して密接されることを特徴とする請求項２記載の浴室床点検口の取付構造。
【請求項４】
前記立上り部は、高さ方向略中央に横方向に凹設された凹溝を備え、前記開口部は、上記凹溝に対向する位置に該凹溝に掛合する突条を備えることを特徴とする請求項１から３のいずれかに記載の浴室床点検口の取付構造。
【請求項５】
前記立上り部は、高さ方向略中央に横方向に凸設された突条を備え、前記開口部は、上記突条に対向する位置に該突条に掛合する凹溝を備えることを特徴とする請求項１から３のいずれかに記載の浴室床点検口の取付構造。
【発明の詳細な説明】
【技術分野】
【０００１】
本発明は、ユニットバスの防水パンに設けられた浴室床点検口の取付構造に係り、特に比較的柔軟な材料で形成された防水パンに設けられた浴室床点検口の取付構造に関する。
【背景技術】
【０００２】
一般住宅に採用されるユニットバスには、階下への漏水を防止するために建築床の上に防水パンが設置される。この建築床上と防水パン裏面との間にできる空間には、浴槽及び洗い場からの排水管のみならず、給水・給湯管も床下配管されることが多い。これは、ユニットバスの壁裏と建築壁との間にできる空間でこれら給水・給湯管を立ち上げるとこの部分に広い空間が必要となり、ユニットバスの室内空間を狭めてしまうからである。
【０００３】
そして、防水パンには、この床下配管に不具合が生じた場合等に、建築床上と防水パン裏面との間にできる空間を点検するための床点検口が設けられる。この床点検口は、防水パンの本来の趣旨から、使用しないときには蓋等により漏水しないよう密閉される（例えば、特許文献１参照。）。
【０００４】
この防水パンは、洗い場においては入浴者の体重を、浴槽載置部においては加えて浴槽及び浴槽内に溜められた湯の重量を支持する必要から、通常、シート状の不飽和ポリエステル樹脂成形材料であるシートモールディングコンパウンド（ＳＭＣ）を用いて圧縮成形法により形成するもの、繊維強化材を配合した熱硬化性プラスチック（ＦＲＰ）を用いて形成するもの等、一定以上の強度及び硬度を有する材料を用いて成型される（ＪＩＳ  Ａ  ４４１９）。そして、床点検口からの漏水を防止するために取り付けられる蓋は、防水パンに形成された開口に直接ねじ止めされることが多い。
【特許文献１】特開平１０−１９５９５２号公報
【発明の開示】
【発明が解決しようとする課題】
【０００５】
ところで、防水パンの材料として、特殊な機能を有していれば、上記ＪＩＳ  Ａ  ４４１９の規格外とはなるものの、ＦＲＰやＳＭＣ以外のものを採用したい場合がある。それがある程度柔軟な材料であっても、浴槽底面全体を面で受ければ単位面積当たりの荷重はそれほど大きくならず、このような材料でも支持することはできる。或いは、斯かる荷重は別途設置する架台に支持させ、防水パンは専ら防水のみを受け持たせる構成としても、ある程度柔軟な材料を防水パンの材料として採用可能である。
【０００６】
しかしながら、このような柔軟な材料に、床点検口の蓋を取り付けるべくねじを螺挿すると、ねじ山が崩れてばかになってしまい、床点検口蓋をしっかりと固定することができない虞がある。或いは、ねじ山は崩れないけれども、ねじがどこまでも螺進して、点検口周りの防水パンが押圧されて変形する可能性もある。
【０００７】
本発明は、上述した事情を考慮してなされたもので、防水パンにある程度柔軟な材料を使用しても、防水パンに変形を生じさせることなく、且つ、床点検口の蓋を所定の位置にがたつきなく固定可能な浴室床点検口の取付構造を提供することを目的とするものである。
【課題を解決するための手段】
【０００８】
本発明に係る浴室床点検口の取付構造は、上述した課題を解決するために、請求項１に記載したように、開口部下面に当接する環状に形成された基部と該基部から上方に立設された複数の立上り部とを有する支持材と、開口部上面に載置される蓋とを備え、該蓋と上記立上り部とを結合させて、開口部を挟装するものである。
【０００９】
好適には、請求項２に記載したように、前記蓋と前記立上り部とは、ねじ接合により結合され、さらに請求項３に記載したように、前記立上り部の高さは、前記開口部の高さより小さく形成され、ねじの螺進により、前記蓋と前記基部とが上記開口部を介して密接される。
【００１０】
また、上述した課題を解決するために、請求項４に係る立上り部は、高さ方向略中央に横方向に凹設された凹溝を備え、前記開口部は、上記凹溝に対向する位置に該凹溝に掛合する突条を備えるものである。
【００１１】
或いは逆に、請求項５に記載したように、前記立上り部は、高さ方向略中央に横方向に凸設された突条を備え。前記開口部は、上記突条に対向する位置に該突条に掛合する凹溝を備える構成とすることも可能である。
【発明の効果】
【００１２】
本発明に係る浴室床点検口の取付構造によれば、防水パンにある程度柔軟な材料を使用しても、防水パンに変形を生じさせることなく、且つ、床点検口の蓋を所定の位置にがたつきなく固定することができ、防水パンの安定した品質が保て、漏水自今を防止することがでる。
【発明を実施するための最良の形態】
【００１３】
本発明に係るユニットバスの床点検口の取り付け構造の実施の形態について、添付図面を参照して説明する。図１は、本発明に係る床点検口２６を備えるユニットバスの防水パン１の全体的な概要を示す分解斜視図である。この実施形態に示された防水パン１は、洗い場側床１０と浴槽側床２０とに大別される。
【００１４】
洗い場側床１０は、ＦＲＰやＳＭＣで成形され、浴槽側床２０と対向する辺以外の三方の外縁は、図示しない壁パネルを載置可能に同一レベルに形成され、浴槽側床２０と対向する辺の中央に設けられたトラップユニット１２を取り付ける排水凹部１４を指向して下り勾配が形成されておる。この排水凹部１４上には、目隠し等のためにトラップカバー１３が載置される。この洗い場側床１０は、形鋼等が剛に接合され、レベル調整可能な複数の脚部を備える洗い場側架台１１上に固設される。
【００１５】
浴槽側床２０は、発泡ポリプロピレン（ＥＰＰ）、発泡ポリエチレン（ＥＰＥ）等のプラスチック系の材料を発泡成形させた断熱材で形成され、漏水を防止する外、浴槽内に溜められた湯の熱が浴槽裏面から伝導、放射することを防止する。この浴槽側床２０は、浴槽２３の底面に位置する底部と、洗い場床に対向する側を除く三方に浴槽上部の高さまで立設された側部とを備える。
【００１６】
この浴槽側床２０の洗い場側床１０に対向する一辺の両端には、床点検口２６，２６が設けられる。この床点検口２６の一方は、床下の状況を点検するための点検口として機能し、他方は、浴槽２３への給水管・給湯管等の挿通孔の機能を果たす。これらは、浴槽２３のＬ型、Ｒ型に応じて使い分けられる。また、この辺中央には、排水弁カバー２７が嵌着される孔が設けられている。排水弁カバー２７は、浴槽の排水口とトラップユニット１２の浴槽側排水エルボ１２ａとを接続するものである。
【００１７】
浴槽２３は、保温性を有する材料により成型された、内側断熱層としての浴槽底面保温材２４を介して、外側断熱層としての浴槽側床２０底部上に載置される。ここで、浴槽底面保温材２４は浴槽２３の底面全体と当接し、浴槽側床２０底部は、浴槽底面保温材２４の底面全体と当接するように形成されている。したがって、浴槽２３、溜められた湯、及び入浴者の重量は、従来の浴槽のように複数の支持脚で防水パン上に支持されるのではなく、面で支持されるので、単位面積当たりの荷重はそれほど大きくならず、ＥＰＰやＥＰＥ等であってもこの重量を支持することが十分可能である。
【００１８】
こうして、浴槽側床２０は、浴槽２３等の荷重を全面で支持するので、この荷重は、浴槽側床２０裏面においてもできるだけ広い面で受ける必要があるため、浴槽側床２０裏面に当接する平面を有する複数の浴槽側受けフレーム２２を介して浴槽側架台２１に伝達される。
【００１９】
浴槽２３の洗い場床１０側側面を掩蔽し、着脱自在に取設されたバスエプロン２５は、上記ＦＲＰやＳＭＣの他、熱可塑性樹脂であるポリプロピレン（ＰＰ）、ポリスチレン（ＰＳ）やＡＢＳ樹脂等により形成され、裏面には浴槽床と同質の材料が裏打ちされ、断熱されている。このバスエプロンの、点検口として機能する床点検口２６側端部には、床点検口２６へのアクセスを容易にするために、着脱が容易な小型バスエプロン２５ａが分離して形成される。
【００２０】
このように、洗い場側床１０と浴槽側床２０とは材料が異なることもあって分離して形成され、接続された洗い場側架台１１と浴槽側架台２１との上で、相互に対向する洗い場側接続部１０ａと浴槽側接続部２０ａとが水密に接続一体化されて、漏水の虞のない防水パンとなる。
【００２１】
図２は、床点検口２６部分の拡大斜視図であり、図３はその分解斜視図である。図に示すように、床点検口は、浴槽側床に開口Ｏを形成する開口部３０と、この開口部に下側から嵌合される支持材４０と、開口部４０上に載置されねじ固定される蓋５０と、蓋５０を固定するためのねじ６０とから構成される。
【００２２】
開口部３０は、浴槽側床２０の洗い場床１０側に対向する辺の端部において、浴槽側接続部２０ａと略同じ高さに開口Ｏを形成する。開口Ｏは、長方形の一角が切欠されたような五角形に形成され、この開口Ｏより下部の浴槽側床は、開口Ｏの閉塞を回避すべく開口部３０の斜辺に沿って欠切されている。なお、開口部３０の形状はこの実施形態に示されたものに限定されない。
【００２３】
開口部３０の周囲には、その全高に亘って、開口Ｏ方向に突出する凸部３１が間断して設けられ、凸部３１と凸部３１との間には、その高さ方向略中央に横方向に突設された突条３２ａを有する凹部３２が設けられる。凹部３２には、突条３２ａを有しないものもある。
【００２４】
支持材４０は、ステンレス鋼等の板材を折曲加工したものであり、開口部３０の周囲と同形状に形成され、開口部３０下端に当接する環状の基部４１と、この基部４１から上方へ折曲された複数の立上り部４２とから構成される。立上り部４２の位置は、開口部３０の凹部３２の位置と対応する。同様に、立上り部４２の高さ方向略中央に横方向に凹設され、凹部３２の突条３２ａに係合する凹溝４２ａが成形される。また、立上り部４２の上端は更に開口Ｏ側に折曲され、蓋５０を固定するためのねじ孔４２ｂが穿設される。蓋５０は、この開口部３０と同形状やや大きめの板材であり、上方より開口Ｏを掩蔽する。
【００２５】
この立上り部４２の高さｈ１は、図４に示すように、開口部３０の高さｈ２より若干小さく、言い換えれば、開口Ｏ側に折曲された上部と、蓋５０との間に若干の隙間が生じる高さに設定される。
【００２６】
支持材４０は、図４（ａ）に示すように、開口部３０の下方からその立上り部４２を開口部３０の凹部３２に挿入して取設される。このとき、開口部３０の突条３２ａと立上り部４２の凹溝４２ａとが掛合し、支持材４０が開口部３０から落下したり、蓋５０の取り外し時に、蓋に追従して上方に引き抜かれたりすることが防止される。
【００２７】
蓋５０は、蓋５０に穿設されたねじ孔５０ａと立上り部４２に穿設されたねじ孔４２ｂとに、ねじ６０を挿通螺合させて開口部３０上に載置固定される。このように、蓋５０及び支持材４０の両者は硬質な材料からなるので、ねじ６０が螺挿されても、ねじ山がつぶれてばかになることはなく、また、開口部３０の端部にねじ６０を螺挿する場合のように、開口部３０の端部が欠損することもない。
【００２８】
そして、開口部３０は、図４（ｂ）に示すように、特に開口部３０の凸部３１において、上方に位置する蓋５０と下方位置する基部４１とに挟持される。このとき、立上り部４２の開口Ｏ側に折曲された上部と、蓋５０との間に若干の間隙があるので、ねじ６０を螺進させるにしたがって、開口部３０は上下に押圧され、支持材４０、開口部３０及び蓋５０は密着し、がたつくことなく、また、漏水の虞もなく固定される。ただし、立上り部４２の存在により、ねじ６０の螺進は制限されるので、開口部３０が不必要に変形することはない。さらに、接着や機械固定の工程がないので、取り付けも容易である。
【００２９】
次に、浴槽２３への給水管・給湯管等の挿通孔の機能を果たす床点検口の取付構造について、図５を参照して説明する。この場合も、上述した床下の状況を点検するための点検口として機能する床点検口２６と実質的に同じであるが、蓋５０に代えて枠蓋５１と挿通孔カバー５２とが用いられる点で異なる。
【００３０】
枠蓋５１は、中央部分が充実した蓋５０と異なり、中央が開口された環状の板材である。挿通孔カバー５２は、柔軟なゴム或いはエラストマーで形成された膜状の部材であり、上方に段状に突出した突起５２ａを、管径に適合した部分で切断して、給水管・給湯管等を挿通させる。これにより、支持材４０及び枠蓋５１は、がたつくことなく、また、漏水の虞もなく固定される。
【００３１】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３２】
本実施形態では、開口部３０の凹部３２に突条３２ａを、支持材４０の立上り部４２に凹溝４２ａを形成した例を用いて説明したが、例えば、これとは逆に、図６に示すように、開口部３０の凹部３２に凹溝３２ｂを、支持材４０の立上り部４２に突条４２ｃを形成した構成としても、同等の効果を得ることができる。
【００３３】
また、本発明に係る点検口の取付構造は、浴室側床２０の底部に設けられた開口に限らず、側部に開口が設けられる場合は、その開口周りの封止構造にも採用することが可能である。
【図面の簡単な説明】
【００３４】
【図１】本発明に係る床点検口の接続構造を備える防水パンの全体概要を示す分解斜視図。
【図２】床点検口部分の拡大斜視図。
【図３】床点検口部分の分解斜視図。
【図４】（ａ）は図２のＡ−Ａ矢視図、（ｂ）は同図のＢ−Ｂ矢視図。
【図５】給水管・給湯管等の挿通孔として機能する床点検口の斜視図。
【図６】本実施形態に係る床点検口の接続構造の変形例を示す図。
【符号の説明】
【００３５】
１  防水パン
１０  洗い場側床
１０ａ  洗い場側接続部
１１  洗い場側架台
１２  トラップユニット
１２ａ  排水エルボ
１３  トラップカバー
１４  排水凹部
２０  浴槽側床
２０ａ  浴槽側接続部
２１  浴槽側架台
２２  浴槽側床受けフレーム
２３  浴槽
２４  浴槽底面保温材
２５  バスエプロン
２５ａ  小型バスエプロン
２６  点検口
２７  排水弁カバー
３０  開口部
３１  凸部
３２  凹部
３２ａ  突条
３２ｂ  凹溝
４０  支持材
４１  基部
４２  立上り部
４２ａ  凹溝
４２ｂ  ねじ孔
４２ｃ  突条
５０  蓋
５１  枠蓋
５２  挿通孔カバー
５２ａ  突起
６０  ねじ
Ｏ  開口
【図１】
2006045797.tif 000003
【図２】
2006045797.tif 000004
【図３】
2006045797.tif 000005
【図４】
2006045797.tif 000006
【図５】
2006045797.tif 000007
【図６】
2006045797.tif 000008